(57)【要約】【課題】  遊技領域のサイズを変更することなく、より大型の図柄表示装置や役物を配置できる遊技機を提供する。【解決手段】  遊技盤上に固定する遊技球入賞装置のベース板は、その下部が前記遊技盤上のアウト口の上側外周部分の少なくとも一部と当接している。また、アウト口は、前記遊技球入賞装置を設置するために遊技盤に設けられた開口部に対して、その下部に連通するように一体的に形成されており、前記ベース板は、その一部が前記アウト口と前記開口部の間の連通部分を覆うように設けられている。更には、前記遊技盤上には、前記アウト口の下側外周部分の少なくとも一部と当接する保護板が設けられている。【選択図】  図２
2005211414.tif 000002
【特許請求の範囲】
【請求項１】
遊技盤上に固定するベース板と、入賞した遊技球を検出する遊技球検出装置を有する入賞口と、その入賞口を塞ぐように前記ベース板上に設けられ、一定条件のもとで開閉する扉部材とを備える遊技球入賞装置と、
前記遊技球入賞装置の下方に配置され、遊技盤上の遊技領域を通過した遊技球を回収するアウト口とを有する遊技機において、
前記ベース板は、その下部が前記遊技盤上のアウト口の上側外周部分の少なくとも一部と当接することを特徴とする遊技機。
【請求項２】
前記アウト口は、前記遊技球入賞装置を設置するために遊技盤に設けられた開口部に対して、その下部に連通するように一体的に形成されており、
前記ベース板は、その一部が前記アウト口と前記開口部の間の連通部分を覆うように設けられていることを特徴とする請求項１記載の遊技機。
【請求項３】
前記遊技盤上に、前記アウト口の下側外周部分の少なくとも一部と当接する保護板を設けたことを特徴とする請求項１又は２記載の遊技機。
【発明の詳細な説明】
【技術分野】
【０００１】
本発明は遊技機に関し、特には遊技盤面内の遊技領域において、より大型の図柄表示装置や役物を配置できるような構造を備えた遊技機に関する。
【背景技術】
【０００２】
従来、遊技球を用いて遊技を行うパチンコ機等の遊技機の中には、遊技者が遊技機に設けられた発射装置を操作して遊技盤面上の遊技領域内に遊技球を打ち出して、所定の入賞口に入れることで大当たり抽選を行い、その抽選結果が大当たりであった場合に、遊技領域の下部に設けられた大入賞口が所定時間開放し、そこに遊技球を入賞させることで通常の遊技時よりも多くの賞品球を獲得することができるタイプのものがあった。
【０００３】
また、そのようなタイプの遊技機の中には、盤面中央に、例えば液晶からなる図柄表示装置を備え、そこに表示される図柄の演出により、前記抽選結果を遊技者に知らせるものがあった。
【０００４】
ここにおいて、上述のタイプの遊技機に搭載される上記図柄表示装置としては、扱いやすさや価格の手ごろさなどの面から、これまで３〜６インチ程度の小型のものが主流であったが、近年、表示画像の見やすさ、或いは迫力等の面から、７インチを超える大きなサイズのものが好まれる傾向にあり、また、その図柄表示装置の周囲に配置されるセンタ役物なども、見た目のインパクト等を重要視する観点から、より大きな電飾や可動物を設けるなどして大型化する傾向にあった。
【特許文献１】特開平２００３−１１７１７３号公報
【特許文献２】特開平２００３−２７５４２４号公報
【発明の開示】
【発明が解決しようとする課題】
【０００５】
しかしながら、上述したような従来の遊技機においては、図柄表示装置やセンター役物は、それらが配置される盤面上の下部に、特別図柄始動電動役物や大入賞口を有する遊技球入賞装置が配置されることから、それらを配置するスペースが必要であるため、あらかじめ定められた盤面内の遊技領域の中で、縦方向のサイズを大きくするのには限界があった。
【０００６】
本発明は、上記課題を解決するためになされたものであり、遊技領域のサイズを変更することなく、より大型の図柄表示装置や役物を配置できる遊技機を提供することを目的とする。
【課題を解決するための手段】
【０００７】
上記課題を解決するため、請求項１に記載の遊技機は、遊技盤上に固定するベース板と、入賞した遊技球を検出する遊技球検出装置を有する入賞口と、その入賞口を塞ぐように前記ベース板上に設けられ、一定条件のもとで開閉する扉部材とを備える遊技球入賞装置と、前記遊技球入賞装置の下方に配置され、遊技盤上の遊技領域を通過した遊技球を回収するアウト口とを有するものであって、前記ベース板は、その下部が前記遊技盤上のアウト口の上側外周部分の少なくとも一部と当接する構成となっている。
【０００８】
また、請求項２に係る発明の遊技機では、請求項１に記載の発明の構成に加えて、前記アウト口は、前記遊技球入賞装置を設置するために遊技盤に設けられた開口部に対して、その下部に連通するように一体的に形成されており、前記ベース板は、その一部が前記アウト口と前記開口部の間の連通部分を覆うように設けられている。
【０００９】
また、請求項３に係る発明の遊技機では、請求項１又は２に記載の発明の構成に加えて、前記遊技盤上に、前記アウト口の下側外周部分の少なくとも一部と当接する保護板が設けられている。
【発明の効果】
【００１０】
請求項１に係る発明の遊技機では、従来よりベース板を盤面内の下方の位置に設置したことにより、遊技球入賞装置とアウト口の間の距離が縮まるため、遊技球入賞装置の上方部分の遊技領域が広くなる。
【００１１】
したがって、従来より縦方向に大きなサイズの図柄表示装置やセンター役物を配置することができる。
【００１２】
また、請求項２に係る発明の遊技機では、請求項１に記載の発明の効果に加えて、遊技盤上に開口部とアウト口を一度に形成できることにより、加工工程が少なくて済むため、遊技盤の製造単価を安くすることができる。
【００１３】
更には、ベース板が開口部とアウト口との連通部分を覆うため、別の新たな部品を使用することなく、一体に形成された開口部とアウト口を分離することができる。したがって部品点数を増やすことなく両者を容易に形成することができる。
【００１４】
また、請求項３に係る発明の遊技機では、請求項１又は２に記載の発明の効果に加えて、従来アウト口の周囲を囲むような形状となっていた保護板をアウト口の下側外周部分のみを囲む形状とし、ベース板の下部との協働でアウト口を囲むようにしたことにより、従来保護板がアウト口の上側外周部分を囲んでいた分だけベース板を下方に下げた位置に設置できることができ、これにより、遊技球入賞装置とアウト口の間の距離を縮めることができるため、遊技球入賞装置の上方部分の遊技領域が広くなる。
【００１５】
したがって、従来より縦方向に大きなサイズの図柄表示装置やセンター役物を配置することができる。また、保護板が従来の半分の形状となるため、部品単価を安くすることができる
【発明を実施するための最良の形態】
【００１６】
本発明の遊技機としての一実施の形態であるパチンコ機１について、図面を参照しながら、以下に説明する。まず始めに、図１および図２を参照して、パチンコ機１の機械的構成の概要について説明する。図１はパチンコ機１の正面図であり、図２は遊技盤２の正面図である。
【００１７】
図１に示すように、パチンコ機１は、その正面の上半分の部分に、発射ハンドル７の操作により図示外の発射機から発射された遊技媒体としての遊技球が流下する遊技盤２が設けられている。この遊技盤２は略正方形であり（図２参照）、その前面は透明なガラス板（図示せず）を保持したガラス枠１３で保護されている。遊技盤２の下方部には、発射機に遊技球を供給し、かつ賞品球を受ける上皿５が設けられている。そして、上皿５の直下には、同じく賞品球を受ける下皿６が設けられ、下皿６の右横には遊技球の発射スピードを調整する発射ハンドル７が設けられている。また、上皿５と下皿６との間にはスピーカ４８が設けられている。更には、上皿５には押しボタン式のスイッチ９０が設けられている。
【００１８】
また、図２に示すように、遊技盤２の前面にはガイドレール３で囲まれた略円形の遊技領域４が設けられている。この遊技領域４の略中央には、ＬＣＤから構成された図柄表示画面２８や普通図柄表示部２４、各種ランプ、ＬＥＤを備えた表示装置８が設けられている。この表示装置８の左右下方には風車９，１０がそれぞれ設けられている。また、表示装置８の下側には特別図柄始動電動役物１５が設けられている。そして、その特別図柄始動電動役物１５の左側方には普通図柄始動ゲート１２が設けられている。また、その特別図柄始動電動役物１５の下方には、大入賞口１６が設けられており、その左右には普通入賞口１７，１８がそれぞれ設けられている。
【００１９】
更には、表示装置８の前面下部には４個のＬＥＤから成る特別図柄記憶数表示ＬＥＤ６０が設けられており、特別図柄始動電動役物１５に入賞し、表示装置８の図柄表示画面２８に大当たり判定の結果が、まだ表示されていない遊技球の個数、いわゆる作動保留球数を４個まで、ＬＥＤの点灯で報知することができるようになっている。また、図柄表示画面２８の上方に設けられた４個のＬＥＤから成る普通図柄記憶数表示ＬＥＤ５９は、普通図柄始動ゲート１２に入賞し、普通図柄表示部２４に普通当たりの判定の結果がまだ表示されていない遊技球の個数、いわゆる普通図柄作動保留球数を、特別図柄作動保留球数同様４個まで、ＬＥＤの点灯で表示することができる。尚、遊技盤２には、上記以外に、種々の電飾ランプ６３、その他の電飾用のＬＥＤ、風車及び多数の障害釘等が設けられている。
【００２０】
次に、表示装置８の構造およびそこに表示される画面について説明する。表示装置８は、中央に図柄表示画面２８を備え、左下方に特別図柄表示部Ｌ１が設けられ、図柄表示画面２８の中央にデモ図柄表示部Ｄ１，デモ図柄表示部Ｄ２，デモ図柄表示部Ｄ３が左から順に並んで設けられている。尚、デモ図柄表示部Ｄ１〜Ｄ３は、遊技者の目を惹くように、特別図柄表示部Ｌ１よりも広い領域を占めている。また、図柄表示画面２８上には、特別図柄表示部Ｌ１、デモ図柄表示部Ｄ１〜Ｄ３には常に図柄が表示されているわけではなく、これらの表示に代えて動画やメッセージ等も表示できるようになっている。また、図柄表示画面２８の上方には、７セグメントＬＥＤから構成される普通図柄表示部２４が設けられている。普通図柄表示部２４には、１桁の数字や１文字のアルファベット等の図柄を表示できるようになっている。また、表示装置８は、その裏面に図柄表示基板（図示せず）を備えている。
【００２１】
本実施の形態のパチンコ機１では、遊技球が特別図柄始動電動役物１５へ入賞すると大当たり抽選が行われる。この大当たり抽選の結果が大当たりとなると、パチンコ機１が特別遊技状態となり、大入賞口１６が開放され、遊技者は多数の遊技球を獲得することができる。また、この大当たり抽選の結果は特別図柄表示部Ｌ１に表示され、さらに、デモ図柄表示部Ｄ１〜Ｄ３にも表示される。デモ図柄表示部Ｄ１〜Ｄ３は、特別図柄表示部Ｌ１よりも遊技者の目を惹くように構成されており、さらに、図柄表示画面２８の背景画面やその他の種々の電飾ランプ６３やスピーカ４８から出力される効果音等の演出と同期して、大当たり判定の結果報知を行い、遊技者の大当たり判定結果への関心や期待感を高める働きをしている。
【００２２】
次に、本発明の要部である遊技球入賞装置３０とアウト口４０、およびそれが設置される盤面部分の構造について、図３乃至図６を用いて以下に説明する。図３は、遊技球入賞装置３０を取り外した状態の遊技盤２の正面図であり、図４は遊技球入賞装置３０の斜視図であり、図５は従来の遊技盤２の正面図であり、図６は図５に示す従来の遊技盤２から遊技球入賞装置３０を取り外した図である。
【００２３】
大入賞口１６を有する遊技球入賞装置３０は、ベース板３１と、扉部材としての開閉扉３２と、磁気センサからなる入賞球検出装置３３と、案内板３４と、シーソー部材３５を備えている。
【００２４】
前記ベース板３１は、ＡＢＳ等の樹脂からなる平板状の部材であり、四隅には遊技盤２の前面にネジ止めするためのネジ穴（図示せず）が形成されている。
【００２５】
また、そのベース板３１の中央部分には長方形状の開口からなる大入賞口１６が形成されており、そこには略同形状のＡＢＳ等の樹脂からなる扉部材としての開閉扉３２が、大入賞口１６を塞ぐようにしてベース板３１上に取り付けられている。
【００２６】
そして、その開閉扉３２は、下端部を支点として上端部が手前側に倒れる方向に回動可能に構成されており、大当たり状態のときに図示しないソレノイドの作動により、開閉動作を行うようになっている。
【００２７】
また、大入賞口１６内の中央下部には、大入賞口１６に入賞した遊技球を後方に導く平板状の案内板３４が設けられている。この案内板３４は、前方から後方にかけて次第に幅狭になっており、後端縁がＶ字状になっているとともに、前方から後方にかけて下向きに傾斜した状態になっている。
【００２８】
そして、その後方には、横長の長方形状で中央下部の支軸を中心にして左右方向へ傾動し、遊技球を左右の何れかに誘導するためのシーソー部材３５と、そのシーソー部材３５の下方に配置され、遊技球を検出するための入賞球検出装置３３とが設けられている。
【００２９】
また、ベース板３１の裏側には、上記案内板３４、シーソー部材３５、入賞球検出装置３３に加えて、上述した開閉扉３２の開閉動作を行わせるための図示しないソレノイドおよび、ソレノイドの動作を開閉扉に伝達する伝達部材等が設けられており、それらを収納するため、ベース板３１の裏側は後方に略直方体状に突出したかたちとなっている。
【００３０】
上記遊技球入賞装置３０が取り付けられる遊技盤２の盤面上には、上記ベース板３１の裏側の突出した部分が納まるように、その外形よりも若干大きめの横長の長方形状の開口部５０が形成されている。
【００３１】
また、遊技盤２上に設置される遊技球入賞装置３０の下方には、遊技盤２上の遊技領域４を通過した遊技球を回収するアウト口４０が設けられている。
【００３２】
ここにおいて、従来のアウト口４０ａは図６に示すように、遊技球入賞装置３０の後部が挿入される開口部５０ａとは別体で、開口部５０ａの下方に横長の楕円状に形成されていた。
【００３３】
これに対して、本発明の遊技機におけるアウト口４０は、開口部５０の中央下部と連通し、上下方向に開口部５０よりは短い同一幅で、縦長に一体的に形成されている。
【００３４】
また、従来のアウト口４０ａには、その外周を取り囲むように遊技盤２上に、アウト口４０ａと同じ大きさの穴が形成された横長の金属板からなる保護板４１ａが取り付けられていた。
【００３５】
これに対して、本発明の遊技機における保護板４１は、従来の保護板４１ａと比べて上半分がない形状のものであり、代わりに上半分の位置はベース板３１の下部が覆った状態となっている。
【００３６】
詳細には、図２に示すように、ベース板３１は従来のベース板３１ａ（図５参照）より、長さＸだけ下方に取り付けられており、開口部５０とアウト口４０の間の連通部分を覆った状態で、最下部がアウト口４０の上側外周部分と当接した状態となっている。
【００３７】
尚、本発明は、以上詳述した実施の形態に限定されるものではなく、その趣旨を逸脱しない範囲内で種々の変更が可能である。たとえば、開口部５０とアウト口４０は、従来より両者間の距離が近接していれば、別々に形成されていても構わない。
【００３８】
また、ベース板３１の大入賞口１６より下部の部分を短くすれば、従来と同様の保護板４１ａを設けることは可能であるし、ベース板３１と保護板４１をともに樹脂で一体成型しても良い。
【産業上の利用可能性】
【００３９】
本発明の遊技機はパチンコ機に限られず、パチコン機、パチスロ機等の各種の遊技機に適用可能である。
【図面の簡単な説明】
【００４０】
【図１】パチンコ機の正面図である。
【図２】遊技盤の正面図である。
【図３】遊技球入賞装置を取り外した遊技盤の正面図である。
【図４】遊技球入賞装置を示す斜視図である。
【図５】従来の遊技盤を示す正面図である。
【図６】従来の遊技盤から遊技球入賞装置を取り外した図である。
【符号の説明】
【００４１】
１  パチンコ機
２  遊技盤
４  遊技領域
８  表示装置
１５  特別図柄始動電動役物
１６  大入賞口
３０  遊技球入賞装置
３１  ベース板
３２  扉部材
３３  入賞球検出装置
４０  アウト口
４１  保護板
５０  開口部
【図１】
2005211414.tif 000003
【図２】
2005211414.tif 000004
【図３】
2005211414.tif 000005
【図４】
2005211414.tif 000006
【図５】
2005211414.tif 000007
【図６】
2005211414.tif 000008